(57)【要約】【課題】本発明は、例えば、成長ホルモンを投与する際に活用する製剤シリンジユニットを保管する保管ケースに関し、製剤投与時にも有効活用できるようにする。【解決手段】製剤投与装置（８）に装着される製剤シリンジユニット（４）を収納するための保管ケース（１００）は、上面が開口した基体（１）と、この基体（１）の開口を覆うカバー（２）とを備える。基体（１）は、その内部に、筒状の製剤シリンジユニット（４）を保持する凹部（５）を有する。凹部（５）は、製剤シリンジユニット（４）の一端と他端とをそれぞれ保持する保持部（６）と、収納されたとき製剤シリンジユニット（４）の本体部に対応する位置に設けた、製剤シリンジユニット（４）を着脱するための中央凹部（７）とを有する。中央凹部（７）は更に、保持部（６）よりも下方に配置された底部を有し、製剤投与装置（８）を立設して配置可能に形成されている。
2013069209.tif 000002
【特許請求の範囲】
【請求項１】
製剤投与装置に装着される製剤シリンジユニットを収納するための保管ケースであって、
上面が開口した基体と、
前記基体の開口を覆うカバーと、
を備え、
前記基体は、その内部に、筒状の製剤シリンジユニットを保持する凹部を有し、
前記凹部は、前記製剤シリンジユニットの一端と他端とをそれぞれ保持する保持部と、収納されたとき前記製剤シリンジユニットの本体部に対応する位置に設けた、製剤シリンジユニットを着脱するための中央凹部と、を有し、
前記中央凹部は、前記保持部よりも下方に配置された底部を有し、前記製剤投与装置を立設して配置可能に形成されている、
保管ケース。
【請求項２】
前記中央凹部は更に、その外周部に、前記基体の上方へ突出する保持壁を有する、
請求項１に記載の保管ケース。
【請求項３】
前記保持壁は、前記中央凹部の外周部の一部に形成されている、
請求項２に記載の保管ケース。
【請求項４】
前記中央凹部は、前記保持部間に配され、前記保持部より大きい開口部を有する、
請求項１に記載の保管ケース。
【請求項５】
製剤投与装置に装着される製剤シリンジユニットを収納するための保管ケースであって、
第１面に開口する、二つの第１凹部と前記第１凹部の間に配された第２凹部とを有する基体と、
前記基体の前記第１面に対し開閉可能に取り付けられたカバーと、
を備え、
前記第１凹部は、筒状の製剤シリンジユニットを収納するとき前記製剤シリンジユニットの両端をそれぞれ保持するように形成され、
前記第２凹部は、前記第１凹部と連通し且つ前記第１凹部より深く形成され、前記第１面において前記第１凹部よりも大きく開口する開口部を有し、
前記第２凹部は、前記製剤投与装置の一部を収納することにより前記製剤投与装置を立設して保持するように形成されている、
保管ケース。
【請求項６】
前記第２凹部は、その外周部に、前記基体の第１面より突出する保持壁を有する、
請求項５に記載の保管ケース。
【請求項７】
前記保持壁は、前記第２凹部の外周部の一部に形成されている、
請求項６に記載の保管ケース。
【発明の詳細な説明】
【技術分野】
【０００１】
本発明は、例えば、成長ホルモン等の製剤を投与する際に活用する製剤シリンジユニットを収納するための保管ケースに関するものである。
【背景技術】
【０００２】
例えば、成長ホルモンを投与する際に活用する製剤シリンジユニットは、製剤投与装置に装着され、１日に１回もしくは数回投与が行われる（例えば、下記特許文献１）。そして、その投与が終わると、製剤シリンジユニットは、製剤投与装置から取り外され、保管ケースに入れられた状態で冷蔵庫などに保管される。
【先行技術文献】
【特許文献】
【０００３】
【特許文献１】特開２００１−１７５４５号公報
【発明の概要】
【発明が解決しようとする課題】
【０００４】
上記保管ケースは、上面が開口した基体と、この基体の開口を覆うカバーとを備えた構成を有する。製剤シリンジユニットは、この基体内に収納された状態で、カバーをかぶせ、冷蔵庫などに保管される。そして、製剤の投与時には、この保管ケースから製剤シリンジユニットを取り出し、上述のごとく、製剤投与装置に装着する。つまり、この保管ケースは、製剤シリンジユニットの保管時には必要なものであるが、製剤投与時には、何ら活用されておらず、むしろ、邪魔な存在となることもある。【０００５】
そこで、本発明は、製剤投与時にも有効活用できる製剤シリンジユニット用の保管ケースを提供することを目的とするものである。
【課題を解決するための手段】
【０００６】
上記目的を達成するため、本発明の一つの観点によれば、製剤投与装置に装着される製剤シリンジユニットを収納するための保管ケースは、上面が開口した基体と、同基体の開口を覆うカバーとを備える。基体は、その内部に、筒状の製剤シリンジユニットを保持する凹部を有する。この凹部は、製剤シリンジユニットの一端と他端とをそれぞれ保持する保持部と、収納されたとき製剤シリンジユニットの本体部に対応する位置に設けた、製剤シリンジユニットを着脱するための中央凹部とを有する。中央凹部は更に、保持部よりも下方に配置された底部を有し、製剤投与装置を立設して配置可能に形成されている。これにより、所期の目的を達成するものである。
【発明の効果】
【０００７】
以上のように、本発明によれば、製剤投与時にも有効活用できる製剤シリンジユニット用の保管ケースを提供することができる。
【図面の簡単な説明】
【０００８】
【図１】本発明の一実施形態にかかる製剤シリンジユニット用の保管ケースの斜視図
【図２】同、斜視図
【図３】同、平面図
【図４】同、断面図
【図５】保管ケースに立設配置する製剤投与装置の斜視図
【図６】製剤投与装置の外観を示す斜視図
【図７】同、製剤投与装置の断面図
【図８】同、製剤投与装置の要部構成図
【図９Ａ】同、製剤投与装置の動作説明図
【図９Ｂ】同、製剤投与装置の動作説明図
【図９Ｃ】同、製剤投与装置の動作説明図
【図９Ｄ】同、製剤投与装置の動作説明図
【図９Ｅ】同、製剤投与装置の動作説明図
【図９Ｆ】同、製剤投与装置の動作説明図
【図１０】本発明の他の実施形態にかかる製剤シリンジユニット用の保管ケースの斜視図
【発明を実施するための形態】
【０００９】
以下、本発明の一実施形態を添付図面とともに説明する。
（実施の形態１）
図１から図３に示すように、本実施形態の保管ケース１００は、製剤投与装置に装着される製剤シリンジユニット４を収納するための保管ケースであって、上面が開口した長方形状の基体１と、この基体１の上面（第１面の一例）を覆うカバー２とにより構成されている。具体的には、基体１の長辺とカバー２の長辺部分をヒンジ３により連結し、このヒンジ３を軸としてカバー２を基体１の上面に対して開閉させるようになっている。
【００１０】
また、基体１は、その内部に、筒状の製剤シリンジユニット４を保持する凹部５を有する。この凹部５は、製剤シリンジユニット４の一端と他端とを保持する保持部６（第１凹部の一例）と、保持部６間に配された中央凹部７（第２凹部の一例）とを有する。中央凹部７は、収納されたときの製剤シリンジユニット４の本体部、例えば製剤シリンジユニット４の中部の外周部に対応する位置に設けられている。中央凹部７は、保持部６よりも大きく開口した開口部７ａ（図４）を有し、開口部７ａは、後述するように製剤シリンジユニット４を保管ケースに対し着脱するときに用いられる。中央凹部７は、図４に示すごとく、保持部６よりも下方に配置された底部５ａを有し、後述する製剤投与装置８（図６）の後端部を保持することにより製剤投与装置８を立設して配置可能に形成されている。つまり、凹部５は、製剤シリンジユニット４を保持することと製剤投与装置８を立設・保持することを兼用している。図１に示す製剤シリンジユニット４を凹部５より取り出した後には、製剤投与装置８を凹部５に立設配置することができるように形成されている。
【００１１】
また、このような製剤投与装置８の立設配置状態を安定させるために、中央凹部７は、開口部７ａを囲むその外周部において、外周部全体から上方へ突出する保持壁９を設けている。
【００１２】
以上の構成において、製剤シリンジユニット４は、図１に示すごとく、基体１の凹部５内に収納される。保管ケース１００は、その状態で、上面開口部をカバー２を閉じ、例えば冷蔵庫などで保管される。そして、使用時には、図１に示すごとく、カバー２を開放することで、製剤シリンジユニット４を表出させる。この状態で、製剤シリンジユニット４の本体部の両側に位置する、製剤シリンジユニット着脱用の開口部７ａから指を凹部５内に挿入し、製剤シリンジユニット４を指で凹部５外につまみ出す。製剤シリンジユニット４は、続いて、製剤投与装置８に装着される。
【００１３】
このように、製剤シリンジユニット４が製剤投与装置８に装着され保管ケース１００に収納されていないとき、保管ケース１００は、図２に示すごとく、基体１の凹部５が開放されている。この凹部５の中央凹部７内に、製剤投与装置８の後端部を挿入し、図５に示すごとく、製剤投与装置８を立設配置する。つまり、本実施形態においては、凹部５の中央凹部７は、製剤投与装置８の後端部の形状とほぼ同じで、若干、開口径を製剤投与装置８の後端部より大きくしている。このため、上述のごとく、中央凹部７内に、製剤投与装置８の後端部を挿入し、図５に示すごとく、製剤投与装置８を立設配置することができる。
【００１４】
製剤投与装置８の一例を図６および図７に示す。図６に示すごとく、製剤投与装置８は、全体的には長形状で、その先端部には先端キャップ１０を備えている。この先端キャップ１０の内部には、図７に示すごとくインナーケース１１が設けられている。このインナーケース１１内に、製剤シリンジユニット４が、図８に示すごとく、装着される。また、製剤シリンジユニット４の先端には、注射針１２が装着される。その状態で、スライドモータ５０によりピストン駆動部２５を矢印Ａ１方向に駆動させることにより、ピストンユニット１３を含めたインナーケース１１を矢印Ａ２方向に移動させる。このスライドモータ５０の駆動により、インナーケース１１はスライド動作し、注射針１２が先端キャップ１０から飛び出したり引っ込んだりする刺針抜針動作を行なう。一方、ピストンモータ５１の駆動により、ピストンユニット１３に組込んだピストン１３ａがスライド動作可能で、図８の左方向に動作する事で製剤シリンジユニット４は、液剤と固剤の混合・溶解、空気抜き、及び、製剤の投与を行う。
【００１５】
以下、図９Ａ〜図９Ｆを参照して、ピストンユニット１３に組込んだピストン１３ａの駆動による製剤投与装置８の動作について具体的に説明する。図９Ａは、製剤シリンジユニット４を示す。この製剤シリンジユニット４は、円筒形の製剤シリンジ１４と、その外周に設けた円筒形のカバー１５により構成されている。また、製剤シリンジ１４の後端側と中部にはパッキン１６、１７が設けられ、これらパッキン１６、１７間には、液剤１８が収納されている。さらに、製剤シリンジ１４の中部と先端間には、固剤１９が収納されている。この状態において、パッキン１６を図９Ａ、図９Ｂ、及び図９Ｃに示すごとく、ピストンユニット１３に組込んだピストン１３ａにより先端側に押していく。この時、図９Ｃのごとく、製剤シリンジ１４の中部に設けたバイパス路２０にパッキン１７が到達した時点で、このバイパス路２０を介して固剤１９に液剤１８が混合され始める。そして、やがては、図９Ｄ及び図９Ｅに示す状態となって、液剤１８と固剤１９が混合・溶解されることになる。
【００１６】
このような液剤１８と固剤１９との混合・溶解は、図５に示すごとく、製剤投与装置８を保管ケース１００の基体１の凹部５に立設配置した状態で行うことができる。よって、本実施形態による、保管ケース１００の基体１が製剤投与装置８を立設配置できる構成により、利便性を極めて高いものにすることができる。
【００１７】
なお、図９Ｅの後、製剤投与装置８は空気抜きをする必要がある。この時も、製剤投与装置８を、図５に示すごとく、基体１の凹部５に立設配置した状態で行う。空気抜きは、製剤投与装置８を立設した状態で行わなければ、注射針１２から空気とともに製剤が無駄に排出されてしまう。よって、図５に示すように製剤投与装置８を立設配置状態とできることは、この点においても極めて利便性が高い。
【００１８】
その後、保管ケース１００の基体１の凹部５から製剤投与装置８を取り外し、その状態で、注射針１２とピストンユニット１３を含むインナーケース１１を先端側に移動させることで、刺針および製剤の投与が行われる。
【００１９】
なお、図１に示すように、保管ケース１００のカバー２には、製剤シリンジユニット４の上面にあわせて、凹部２１を設けている。また、基体１の凹部５の隣には、注射針１２の保護キャップ（図示せず）を仮置きする凹部２２を設けている。
【００２０】
以上のように、上記実施形態による製剤シリンジユニット用の保管ケース１００は、上面が開口した基体１と、この基体１の開口を覆うカバー２とを備える。基体１は、その内部に、筒状の製剤シリンジユニット４を保持する凹部５を有する。凹部５は、製剤シリンジユニット４の一端と他端とをそれぞれ保持する保持部６と、収納されたとき製剤シリンジユニット４の本体部に対応する位置に設けた、製剤シリンジユニット４を着脱するための中央凹部７とを有する。中央凹部７は、保持部６よりも下方に配置された底部５ａを有し、製剤投与装置を立設して配置可能に形成されている。これにより、保管ケース１００は、製剤投与時にも活用できるものとなる。
【００２１】
すなわち、本実施形態においては、保管ケース１００の基体１はその内部に、筒状の製剤シリンジユニット４を保持する凹部５を有し、この凹部５は、製剤シリンジユニット４の一端と他端とをそれぞれ保持する保持部６と、収納されたとき製剤シリンジユニット４の本体部に対応する位置に設けた、製剤シリンジユニット４を着脱するための中央凹部７とを有する。更に中央凹部７の底部５ａは、保持部６よりも下方に配置され、製剤投与装置を立設して配置可能に形成されている。
【００２２】
このため、製剤シリンジユニット４を保管ケース１００の基体１の凹部５から取り出した後には、凹部５に製剤投与装置８を立設して配置することができる。これにより、保管ケース１００は、製剤投与時にも活用できるものとなる。この点を具体的に説明すると、製剤投与時には、製剤投与装置８を水平面に対し立設させた状態で、例えば、空気抜きや、液剤と固剤の混合・溶解をさせる必要がある。この時、製剤投与装置８を保管ケース１００の凹部５に立設配置することができるため、それらの作業が極めてスムーズに行えるものとなる。従って、本実施形態に係る保管ケース１００は、例えば、成長ホルモンを収納した製剤シリンジユニット４を保管する保管ケースとしての活用だけでなく、製剤投与装置８を立設させるものとして活用することができる。
【００２３】
（実施の形態２）
図１０は、他の実施の形態に係る製剤シリンジユニット用の保管ケース２００を示す。この実施の形態では、カバー２には、製剤シリンジユニット４の上面を押さえるリブ２３を設けている。また、本実施の形態に係る保管ケース２００においては、凹部５における中央凹部７は、その外周部の一部においてのみ上方へ突出する保持壁２９を設けている。その他の構成については、上記実施の形態１と同様であるため、同じ符号を付し、それらの説明は省略する。
【産業上の利用可能性】
【００２４】
本発明に係る製剤シリンジユニット用保管ケースは、例えば、成長ホルモン等の製剤を投与する際に活用する製剤シリンジユニットを保管する保管ケース等として有用である。【００２５】
（その他実施の形態）
上記実施の形態においては、保管ケース１００，２００の凹部５は、保持部６により製剤シリンジユニット４を保持すると共に、中央凹部７により製剤投与装置８を立設可能に保持しているが、これに限定されない。保管ケースは、製剤シリンジユニット４を保持する部分と製剤投与装置８を立設・保持する部分とを別々に形成してもよいし、製剤シリンジユニット４を保持する部分及び製剤投与装置８を立設・保持する部分の一部のみ共通の部分として形成してもよい。
【符号の説明】
【００２６】
１ 基体
２ カバー
３ ヒンジ
４ 製剤シリンジユニット
５ 凹部
６ 保持部
７ 中央凹部
７ａ 開口部
８ 製剤投与装置
９ 保持壁
１０ 先端キャップ
１１ インナーケース
１２ 注射針
１３ ピストンユニット
１３ａ ピストン
１４ 製剤シリンジ
１５ カバー
１６、１７パッキン
１８ 液剤
１９ 固剤
２０ バイパス路
２１、２２ 凹部
２３ リブ
２９ 保持壁
【図１】
2013069209.tif 000003
【図２】
2013069209.tif 000004
【図３】
2013069209.tif 000005
【図４】
2013069209.tif 000006
【図５】
2013069209.tif 000007
【図６】
2013069209.tif 000008
【図７】
2013069209.tif 000009
【図８】
2013069209.tif 000010
【図９Ａ】
2013069209.tif 000011
【図９Ｂ】
2013069209.tif 000012
【図９Ｃ】
2013069209.tif 000013
【図９Ｄ】
2013069209.tif 000014
【図９Ｅ】
2013069209.tif 000015
【図９Ｆ】
2013069209.tif 000016
【図１０】
2013069209.tif 000017
【手続補正書】
【提出日】平成26年4月21日(2014.4.21)
【手続補正１】
【補正対象書類名】明細書
【補正対象項目名】全文
【補正方法】変更
【補正の内容】
【発明の詳細な説明】
【技術分野】
【０００１】
本発明は、例えば、成長ホルモン等の製剤を投与する際に活用する製剤シリンジユニットを収納するための保管ケースに関するものである。
【背景技術】
【０００２】
例えば、成長ホルモンを投与する際に活用する製剤シリンジユニットは、製剤投与装置に装着され、１日に１回もしくは数回投与が行われる（例えば、下記特許文献１）。そして、その投与が終わると、製剤シリンジユニットは、製剤投与装置から取り外され、保管ケースに入れられた状態で冷蔵庫などに保管される。
【先行技術文献】
【特許文献】
【０００３】
【特許文献１】特開２００１−１７５４５号公報
【発明の概要】
【発明が解決しようとする課題】
【０００４】
上記保管ケースは、上面が開口した基体と、この基体の開口を覆うカバーとを備えた構成を有する。製剤シリンジユニットは、この基体内に収納された状態で、カバーをかぶせ、冷蔵庫などに保管される。そして、製剤の投与時には、この保管ケースから製剤シリンジユニットを取り出し、上述のごとく、製剤投与装置に装着する。つまり、この保管ケースは、製剤シリンジユニットの保管時には必要なものであるが、製剤投与時には、何ら活用されておらず、むしろ、邪魔な存在となることもある。
【０００５】
そこで、本発明は、製剤投与時にも有効活用できる製剤シリンジユニット用の保管ケースを提供することを目的とするものである。
【課題を解決するための手段】
【０００６】
上記目的を達成するため、本発明の一つの観点によれば、製剤投与装置に装着される製剤シリンジユニットを収納するための保管ケースは、上面が開口した基体と、同基体の開口を覆うカバーとを備える。基体は、その内部に、筒状の製剤シリンジユニットを保持する凹部を有する。この凹部は、製剤シリンジユニットの一端と他端とをそれぞれ保持する保持部と、収納されたとき製剤シリンジユニットの本体部に対応する位置に設けた、製剤シリンジユニットを着脱するための中央凹部とを有する。中央凹部は更に、保持部よりも下方に配置された底部を有し、製剤投与装置を立設して配置可能に形成されている。これにより、所期の目的を達成するものである。
【発明の効果】
【０００７】
以上のように、本発明によれば、製剤投与時にも有効活用できる製剤シリンジユニット用の保管ケースを提供することができる。
【図面の簡単な説明】
【０００８】
【図１】本発明の一実施形態にかかる製剤シリンジユニット用の保管ケースの斜視図
【図２】同、斜視図
【図３】同、平面図
【図４】同、断面図
【図５】保管ケースに立設配置する製剤投与装置の斜視図
【図６】製剤投与装置の外観を示す斜視図
【図７】同、製剤投与装置の断面図
【図８】同、製剤投与装置の要部構成図
【図９Ａ】同、製剤投与装置の動作説明図
【図９Ｂ】同、製剤投与装置の動作説明図
【図９Ｃ】同、製剤投与装置の動作説明図
【図９Ｄ】同、製剤投与装置の動作説明図
【図９Ｅ】同、製剤投与装置の動作説明図
【図９Ｆ】同、製剤投与装置の動作説明図
【図１０】本発明の他の実施形態にかかる製剤シリンジユニット用の保管ケースの斜視図
【発明を実施するための形態】
【０００９】
以下、本発明の一実施形態を添付図面とともに説明する。
（実施の形態１）
図１から図３に示すように、本実施形態の保管ケース１００は、製剤投与装置に装着される製剤シリンジユニット４を収納するための保管ケースであって、上面が開口した長方形状の基体１と、この基体１の上面（第１面の一例）を覆うカバー２とにより構成されている。具体的には、基体１の長辺とカバー２の長辺部分をヒンジ３により連結し、このヒンジ３を軸としてカバー２を基体１の上面に対して開閉させるようになっている。
【００１０】
また、基体１は、その内部に、筒状の製剤シリンジユニット４を保持する凹部５を有する。この凹部５は、製剤シリンジユニット４の一端と他端とを保持する保持部６（第１凹部の一例）と、保持部６間に配された中央凹部７（第２凹部の一例）とを有する。中央凹部７は、収納されたときの製剤シリンジユニット４の本体部、例えば製剤シリンジユニット４の中部の外周部に対応する位置に設けられている。中央凹部７は、保持部６よりも大きく開口した開口部７ａ（図４）を有し、開口部７ａは、後述するように製剤シリンジユニット４を保管ケースに対し着脱するときに用いられる。中央凹部７は、図４に示すごとく、保持部６よりも下方に配置された底部５ａを有し、後述する製剤投与装置８（図６）の後端部を保持することにより製剤投与装置８を立設して配置可能に形成されている。つまり、凹部５は、製剤シリンジユニット４を保持することと製剤投与装置８を立設・保持することを兼用している。図１に示す製剤シリンジユニット４を凹部５より取り出した後には、製剤投与装置８を凹部５に立設配置することができるように形成されている。
【００１１】
また、このような製剤投与装置８の立設配置状態を安定させるために、中央凹部７は、開口部７ａを囲むその外周部において、外周部全体から上方へ突出する保持壁９を設けている。
以上の構成において、製剤シリンジユニット４は、図１に示すごとく、基体１の凹部５内に収納される。保管ケース１００は、その状態で、上面開口部をカバー２を閉じ、例えば冷蔵庫などで保管される。そして、使用時には、図１に示すごとく、カバー２を開放することで、製剤シリンジユニット４を表出させる。この状態で、製剤シリンジユニット４の本体部の両側に位置する、製剤シリンジユニット着脱用の開口部７ａから指を凹部５内に挿入し、製剤シリンジユニット４を指で凹部５外につまみ出す。製剤シリンジユニット４は、続いて、製剤投与装置８に装着される。
【００１２】
このように、製剤シリンジユニット４が製剤投与装置８に装着され保管ケース１００に収納されていないとき、保管ケース１００は、図２に示すごとく、基体１の凹部５が開放されている。この凹部５の中央凹部７内に、製剤投与装置８の後端部を挿入し、図５に示すごとく、製剤投与装置８を立設配置する。つまり、本実施形態においては、凹部５の中央凹部７は、製剤投与装置８の後端部の形状とほぼ同じで、若干、開口径を製剤投与装置８の後端部より大きくしている。このため、上述のごとく、中央凹部７内に、製剤投与装置８の後端部を挿入し、図５に示すごとく、製剤投与装置８を立設配置することができる。
【００１３】
製剤投与装置８の一例を図６および図７に示す。図６に示すごとく、製剤投与装置８は、全体的には長形状で、その先端部には先端キャップ１０を備えている。この製剤投与装置８の内部には、図７に示すごとくインナーケース１１が設けられている。このインナーケース１１内に、製剤シリンジユニット４が、図８に示すごとく、装着される。また、製剤シリンジユニット４の先端には、注射針１２が装着される。その状態で、スライドモータ５０によりピストン駆動部２５を矢印Ａ１方向に駆動させることにより、ピストンユニット１３を含めたインナーケース１１を矢印Ａ２方向に移動させる。このスライドモータ５０の駆動により、インナーケース１１はスライド動作し、注射針１２が先端キャップ１０から飛び出したり引っ込んだりする刺針抜針動作を行なう。一方、ピストンモータ５１の駆動により、ピストンユニット１３に組込んだピストン１３ａがスライド動作可能で、図８の左方向に動作する事で製剤シリンジユニット４は、液剤と固剤の混合・溶解、空気抜き、及び、製剤の投与を行う。
【００１４】
以下、図９Ａ〜図９Ｆを参照して、ピストンユニット１３に組込んだピストン１３ａの駆動による製剤投与装置８の動作について具体的に説明する。図９Ａは、製剤シリンジユニット４を示す。この製剤シリンジユニット４は、円筒形の製剤シリンジ１４と、その外周に設けた円筒形のカバー１５により構成されている。また、製剤シリンジ１４の後端側と中部にはパッキン１６、１７が設けられ、これらパッキン１６、１７間には、液剤１８が収納されている。さらに、製剤シリンジ１４の中部と先端間には、固剤１９が収納されている。この状態において、パッキン１６を図９Ａ、図９Ｂ、及び図９Ｃに示すごとく、ピストンユニット１３に組込んだピストン１３ａにより先端側に押していく。この時、図９Ｃのごとく、製剤シリンジ１４の中部に設けたバイパス路２０にパッキン１７が到達した時点で、このバイパス路２０を介して固剤１９に液剤１８が混合され始める。そして、やがては、図９Ｄ及び図９Ｅに示す状態となって、液剤１８と固剤１９が混合・溶解されることになる。
【００１５】
このような液剤１８と固剤１９との混合・溶解は、図５に示すごとく、製剤投与装置８を保管ケース１００の基体１の凹部５に立設配置した状態で行うことができる。よって、本実施形態による、保管ケース１００の基体１が製剤投与装置８を立設配置できる構成により、利便性を極めて高いものにすることができる。
なお、図９Ｅの後、製剤投与装置８は空気抜きをする必要がある。この時も、製剤投与装置８を、図５に示すごとく、基体１の凹部５に立設配置した状態で行う。空気抜きは、製剤投与装置８を立設した状態で行わなければ、注射針１２から空気とともに製剤が無駄に排出されてしまう。よって、図５に示すように製剤投与装置８を立設配置状態とできることは、この点においても極めて利便性が高い。
【００１６】
その後、保管ケース１００の基体１の凹部５から製剤投与装置８を取り外し、その状態で、注射針１２とピストンユニット１３を含むインナーケース１１を先端側に移動させることで、刺針および製剤の投与が行われる。
なお、図１に示すように、保管ケース１００のカバー２には、製剤シリンジユニット４の上面にあわせて、凹部２１を設けている。また、基体１の凹部５の隣には、注射針１２の保護キャップ（図示せず）を仮置きする凹部２２を設けている。
【００１７】
以上のように、上記実施形態による製剤シリンジユニット用の保管ケース１００は、上面が開口した基体１と、この基体１の開口を覆うカバー２とを備える。基体１は、その内部に、筒状の製剤シリンジユニット４を保持する凹部５を有する。凹部５は、製剤シリンジユニット４の一端と他端とをそれぞれ保持する保持部６と、収納されたとき製剤シリンジユニット４の本体部に対応する位置に設けた、製剤シリンジユニット４を着脱するための中央凹部７とを有する。中央凹部７は、保持部６よりも下方に配置された底部５ａを有し、製剤投与装置を立設して配置可能に形成されている。これにより、保管ケース１００は、製剤投与時にも活用できるものとなる。
【００１８】
すなわち、本実施形態においては、保管ケース１００の基体１はその内部に、筒状の製剤シリンジユニット４を保持する凹部５を有し、この凹部５は、製剤シリンジユニット４の一端と他端とをそれぞれ保持する保持部６と、収納されたとき製剤シリンジユニット４の本体部に対応する位置に設けた、製剤シリンジユニット４を着脱するための中央凹部７とを有する。更に中央凹部７の底部５ａは、保持部６よりも下方に配置され、製剤投与装置を立設して配置可能に形成されている。
このため、製剤シリンジユニット４を保管ケース１００の基体１の凹部５から取り出した後には、凹部５に製剤投与装置８を立設して配置することができる。これにより、保管ケース１００は、製剤投与時にも活用できるものとなる。この点を具体的に説明すると、製剤投与時には、製剤投与装置８を水平面に対し立設させた状態で、例えば、空気抜きや、液剤と固剤の混合・溶解をさせる必要がある。この時、製剤投与装置８を保管ケース１００の凹部５に立設配置することができるため、それらの作業が極めてスムーズに行えるものとなる。従って、本実施形態に係る保管ケース１００は、例えば、成長ホルモンを収納した製剤シリンジユニット４を保管する保管ケースとしての活用だけでなく、製剤投与装置８を立設させるものとして活用することができる。
【００１９】
（実施の形態２）
図１０は、他の実施の形態に係る製剤シリンジユニット用の保管ケース２００を示す。この実施の形態では、カバー２には、製剤シリンジユニット４の上面を押さえるリブ２３を設けている。また、本実施の形態に係る保管ケース２００においては、凹部５における中央凹部７は、その外周部の一部においてのみ上方へ突出する保持壁２９を設けている。その他の構成については、上記実施の形態１と同様であるため、同じ符号を付し、それらの説明は省略する。
（その他実施の形態）
上記実施の形態においては、保管ケース１００，２００の凹部５は、保持部６により製剤シリンジユニット４を保持すると共に、中央凹部７により製剤投与装置８を立設可能に保持しているが、これに限定されない。保管ケースは、製剤シリンジユニット４を保持する部分と製剤投与装置８を立設・保持する部分とを別々に形成してもよいし、製剤シリンジユニット４を保持する部分及び製剤投与装置８を立設・保持する部分の一部のみ共通の部分として形成してもよい。
【産業上の利用可能性】
【００２０】
本発明に係る製剤シリンジユニット用保管ケースは、例えば、成長ホルモン等の製剤を投与する際に活用する製剤シリンジユニットを保管する保管ケース等として有用である。
【符号の説明】
【００２１】
１ 基体
２ カバー
３ ヒンジ
４ 製剤シリンジユニット
５ 凹部
６ 保持部
７ 中央凹部
７ａ 開口部
８ 製剤投与装置
９ 保持壁
１０ 先端キャップ
１１ インナーケース
１２ 注射針
１３ ピストンユニット
１３ａ ピストン
１４ 製剤シリンジ
１５ カバー
１６、１７パッキン
１８ 液剤
１９ 固剤
２０ バイパス路
２１、２２ 凹部
２３ リブ
２９ 保持壁
【手続補正２】
【補正対象書類名】図面
【補正対象項目名】図１
【補正方法】変更
【補正の内容】
【図１】
2013069209.tif 000018
【手続補正３】
【補正対象書類名】図面
【補正対象項目名】図２
【補正方法】変更
【補正の内容】
【図２】
2013069209.tif 000019
【手続補正４】
【補正対象書類名】図面
【補正対象項目名】図３
【補正方法】変更
【補正の内容】
【図３】
2013069209.tif 000020
【手続補正５】
【補正対象書類名】図面
【補正対象項目名】図４
【補正方法】変更
【補正の内容】
【図４】
2013069209.tif 000021
【手続補正６】
【補正対象書類名】図面
【補正対象項目名】図５
【補正方法】変更
【補正の内容】
【図５】
2013069209.tif 000022
【手続補正７】
【補正対象書類名】図面
【補正対象項目名】図６
【補正方法】変更
【補正の内容】
【図６】
2013069209.tif 000023
【手続補正８】
【補正対象書類名】図面
【補正対象項目名】図７
【補正方法】変更
【補正の内容】
【図７】
2013069209.tif 000024
【手続補正９】
【補正対象書類名】図面
【補正対象項目名】図８
【補正方法】変更
【補正の内容】
【図８】
2013069209.tif 000025
【手続補正１０】
【補正対象書類名】図面
【補正対象項目名】図９Ａ
【補正方法】変更
【補正の内容】
【図９Ａ】
2013069209.tif 000026
【手続補正１１】
【補正対象書類名】図面
【補正対象項目名】図９Ｂ
【補正方法】変更
【補正の内容】
【図９Ｂ】
2013069209.tif 000027
【手続補正１２】
【補正対象書類名】図面
【補正対象項目名】図９Ｃ
【補正方法】変更
【補正の内容】
【図９Ｃ】
2013069209.tif 000028
【手続補正１３】
【補正対象書類名】図面
【補正対象項目名】図９Ｄ
【補正方法】変更
【補正の内容】
【図９Ｄ】
2013069209.tif 000029
【手続補正１４】
【補正対象書類名】図面
【補正対象項目名】図９Ｅ
【補正方法】変更
【補正の内容】
【図９Ｅ】
2013069209.tif 000030
【手続補正１５】
【補正対象書類名】図面
【補正対象項目名】図９Ｆ
【補正方法】変更
【補正の内容】
【図９Ｆ】
2013069209.tif 000031
【手続補正１６】
【補正対象書類名】図面
【補正対象項目名】図１０
【補正方法】変更
【補正の内容】
【図１０】
2013069209.tif 000032
【国際調査報告】
2013069209.tif 000033
2013069209.tif 000034
2013069209.tif 000035
2013069209.tif 000036